(57)【要約】【課題】扉などのパネル体がフラットな状態に閉扉することができるようにしたパネル体の開閉具および引違い戸を提供する。【解決手段】このパネル体の開閉具は、一定の間隔を空けて平行に対峙するように配置された固定ガイドレール１０と可動ガイドレール２０、両ガイドレール１０，２０の間で移動するスライダ３０が備えられている。固定ガイドレール１０が可動ガイドレール２０と対向する面には溝１１が形成されている。可動ガイドレール２０は、フラットな直列状態と重なり合う並列状態とに可動でき、固定ガイドレール１０と対向する面に溝２３を形成した２本のハーフガイドレール２１，２２を組み合わせたものとされる。スライダ３０は、中心と両側とに開口部３１ａ，３１ｂ，３１ｃを設けた基盤３１と、各開口部３１ａ，３１ｂ，３１ｃ内に配置される転動体３２ａ，３２ｂ，３２ｃとが備えられている。【選択図】図１２
2009138491.tif 000002
【特許請求の範囲】
【請求項１】
一定の間隔を空けて平行に対峙するように配置された固定ガイドレールと可動ガイドレール、および該両ガイドレールの間で移動するスライダが備えられ、
前記固定ガイドレールが可動ガイドレールと対向する面には、長さ方向の中心で裏面側から表面側に一対の円弧状の溝が設けられ、該各円弧状の溝から長さ方向の各端部付近まで表面側に沿って一対の直線状の溝が設けられ、
前記可動ガイドレールは、固定ガイドレールの幅のほぼ半分の幅であるハーフガイドレールを２本直列状態と並列状態とに可動できるように組み合わせたものであり、各ハーフガイドレールが前記固定ガイドレールと対向する面には、直線状の溝がほぼ全幅に亘って設けられ、
前記スライダは、基盤と、該基盤の中心に配置され、前記固定ガイドレール側にのみ突出して固定ガイドレールの円弧状の溝および直線状の溝内を転動する転動体と、基盤の両側に配置され、可動ガイドレール側にのみ突出してハーフガイドレールの各直線状の溝内を転動する転動体とが備えられ、一方側の転動体を回転軸として方向転換可能とされていることを特徴とするパネル体の開閉具。
【請求項２】
前記スライダには、基盤の中心と両側とに前記転動体を配置する開口部が設けられ、各転動体を挟む状態の軸受が基盤に一対ずつ突設され、各軸受に軸支される軸が転動体に突設されていることを特徴とする請求項１に記載のパネル体の開閉具。
【請求項３】
前記ハーフガイドレールには、幅方向にスライドする方向となったスライダの基盤の側面に当接するプッシャが突出して設けられていることを特徴とする請求項１または２に記載のパネル体の開閉具。
【請求項４】
前記固定ガイドレールには、裏面側へ突出した拡幅部が両端部に設けられ、該拡幅部に前記直線状の溝から分岐して裏面側に沿う分岐溝が設けられ、
前記ハーフガイドレールの外側端部には、前記固定ガイドレールの直線状の溝内および分岐溝内を転動する滑動体が備えられていることを特徴とする請求項１ないし３のいずれか一つに記載のパネル体の開閉具。
【請求項５】
前記固定ガイドレールには、少なくとも前記直線状の溝に沿って誘導溝が設けられ、
前記可動ガイドレールには、前記固定ガイドレールの誘導溝内に係入する突起が設けられていることを特徴とする請求項１から４のいずれか一つに記載のパネル体の開閉具。
【請求項６】
前記ハーフガイドレールの裏面にスペーサが備えられていることを特徴とする請求項１から５のいずれか一つに記載のパネル体の開閉具。
【請求項７】
前記固定ガイドレールおよび可動ガイドレールの各対向面側の周縁に周壁部が突設されていることを特徴とする請求項１から６のいずれか一つに記載のパネル体の開閉具。
【請求項８】
幅方向にスライドする一対のパネル体と、該パネル体の上下に間隔を空けて配置される枠体と、該パネル体と枠体との間に配置される請求項１から７のいずれか一つに記載のパネル体の開閉具とが備えられ、
請求項１から７のいずれか一つに記載の可動ガイドレールの各ハーフガイドレールがパネル体の上下各端面に固定され、請求項１から７のいずれか一つに記載の固定ガイドレールがパネル体に対向している枠体の各面に固定されていることを特徴とする引違い戸。
【発明の詳細な説明】
【技術分野】
【０００１】
本発明は、一対のパネル体をそれぞれ幅方向にスライドさせるためのパネル体の開閉具、およびこの一対のパネル体が扉である場合の引違い戸に関する。
【背景技術】
【０００２】
引違い戸は、玄関ドアや室内ドアなどの各種ドア、あるいはクローゼット、食器棚、書庫などにおいて使用されている。いずれの引違い戸も、一対（２枚）の扉（パネル体）が上下のガイド枠に挟まれ、それぞれが幅方向すなわちガイド枠の長さ方向にスライドすることによって開閉するようにされている。このような引違い戸は、両開き戸のように扉が手前に開かれないため、狭い空間に設置することができるだけでなく、大地震などが起きたときに、勝手に開扉しないという特徴を有している。
【０００３】
なお、レールに沿ってスライドするスライド扉と、当該スライド扉に設けられた回転部材を用いて回転する回転扉とを一対具備した扉開閉機構が特許文献１に開示されている。この扉開閉機構によれば、回転扉の回転半径が短くされることにより、扉開放時における後退距離を短くすることができ、また、開放した回転扉がスライド扉とともに平行移動することにより、任意の場所に扉の開口部を設けることができる。
【０００４】
【特許文献１】特開２００２−２９５１３６号公報
【発明の開示】
【発明が解決しようとする課題】
【０００５】
従来の引違い戸は、一般的に、手前側の扉が奥側の扉の表面に沿ってスライドし、奥側の扉が手前側の扉の裏面に沿ってスライドするため、手前側の扉と奥側の扉とは段違いに閉扉され、開き戸のようにフラットに閉扉されない。したがって、従来の引違い戸は、デザインが見劣りするだけでなく、開扉された奥側の扉を閉扉しにくいという不具合がある。
【０００６】
また、特許文献１に開示された扉開閉機構は、スライド扉と回転扉とがフラットな状態に閉扉されるものの、完全に開扉するためには、２枚の回転扉を開扉し、一方のスライド扉を他方のスライド扉の方へスライドさせなければならず、二度手間となる。
【０００７】
そこで、本発明は、扉などとして使用するパネル体がフラットな状態に閉扉することができ、しかも、簡便に開閉することができるようにしたパネル体の開閉具およびこのパネル体の開閉具を備えた引違い戸を提供することを課題とする。
【課題を解決するための手段】
【０００８】
本発明に係るパネル体の開閉具は、一定の間隔を空けて平行に対峙するように配置された固定ガイドレールと可動ガイドレール、および該両ガイドレールの間で移動するスライダが備えられ、前記固定ガイドレールが可動ガイドレールと対向する面には、長さ方向の中心で裏面側から表面側に一対の円弧状の溝が設けられ、該各円弧状の溝から長さ方向の各端部付近まで表面側に沿って一対の直線状の溝が設けられ、前記可動ガイドレールは、固定ガイドレールの幅のほぼ半分の幅であるハーフガイドレールを２本直列状態と並列状態とに可動できるように組み合わせたものであり、各ハーフガイドレールが前記固定ガイドレールと対向する面には、直線状の溝がほぼ全幅に亘って設けられ、前記スライダは、基盤と、該基盤の中心に配置され、前記固定ガイドレール側にのみ突出して固定ガイドレールの円弧状の溝および直線状の溝内を転動する転動体と、基盤の両側に配置され、可動ガイドレール側にのみ突出してハーフガイドレールの各直線状の溝内を転動する転動体とが備えられ、一方側の転動体を回転軸として方向転換可能とされていることを特徴としている。
【０００９】
このパネル体の開閉具によれば、可動ガイドレールは、２本のハーフガイドレールが直列状態とされることにより、固定ガイドレールの全長に亘って対峙し、また、２本のハーフガイドレールが並列状態とされることにより、固定ガイドレールの半分の長さで対峙する。２本のハーフガイドレールが直列状態においては、スライダの中心の転動体が固定ガイドレールに設けられた円弧状の溝の裏面寄りに位置し、スライダの両側の転動体が各可動ガイドレールに設けられた溝の内側端に位置している。
【００１０】
そして、一方（ここでは、理解しやすくするため、以下「左側」として説明する。）のハーフガイドレールの内側端が手前側（裏面側から表面側への方向）に引っ張られ、左側のハーフガイドレールの内側端と他方（ここでは、理解しやすくするため、以下「右側」として説明する。）のハーフガイドレールの内側端とが重なり合うように移動すると、スライダが上から見たときに（以下同じ。）反時計方向に４分の１回転する。
【００１１】
このとき、右側のハーフガイドレールの溝の内側（左）端内に位置している右側の転動体を回転軸として基盤が反時計方向に４分の１回転し、中心の転動体が固定ガイドレールに設けられた円弧状の溝内を４分の１回転し、左側の転動体が手前側に引っ張られた左側のハーフガイドレールに設けられた溝の移動に追従して４分の１回転し、スライダの３個の転動体が両ハーフガイドレールの重なり合った内側端の方向に並ぶ。
【００１２】
そして、左側のハーフガイドレールが右方向に引っ張られると、右側の転動体と中心の転動体がそれぞれ右側のハーフガイドレールの溝内と固定ガイドレールの直線状の溝内を右方向に転動し、左側のハーフガイドレールの裏面と右側のハーフガイドレールの表面とが重なり合う並列状態となる。
【００１３】
この重なり合った左側のハーフガイドレールが左方向に引っ張られると、右側の転動体と中心の転動体がそれぞれ右側のハーフガイドレールの溝内と固定ガイドレールの直線状の溝内を左方向に転動する。そして、右側の転動体が右側のハーフガイドレールの溝の内側（左）端内に位置した状態で、左側のハーフガイドレールが奥側（表面側から裏面側への方向）へ押されると、右側の転動体を回転軸として、スライダが時計方向に４分の１回転する。このとき、右側の転動体を回転軸として基盤が時計方向に４分の１回転し、中心の転動体が固定ガイドレールに設けられた円弧状の溝内を４分の１回転し、左側の転動体も左側のハーフガイドレールの溝の右端内で４分の１回転し、左側のハーフガイドレールと右側のハーフガイドレールとが同一面のフラットな直列状態となる。
【００１４】
そして、前記と逆に、右側のハーフガイドレールが手前側に引っ張られ、左方向に移動されると、スライダが時計方向に４分の１回転し、右側のハーフガイドレールの裏面と左側のハーフガイドレールの表面とが重なり合った並列状態となる。この左側のハーフガイドレールが右方向に移動されると、スライダが反時計方向に４分の１回転し、右側のハーフガイドレールと左側のハーフガイドレールとが同一面のフラットな直列状態となる。
【００１５】
また、前記本発明に係るパネル体の開閉具において、前記スライダには、基盤の中心と両側とに前記転動体を配置する開口部が設けられ、各転動体を挟む状態の軸受が基盤に一対ずつ突設され、各軸受に軸支される軸が転動体に突設されていることが好ましい。
【００１６】
このパネル体の開閉具によれば、基盤の中心と両側とに前記転動体を配置する開口部が設けられ、転動体に突設された軸が基盤に突設された軸受に軸支されることにより、転動体は軸を回転軸として車輪のように転動する。そして、基盤に開口部が設けられ、軸受が突設されることにより、基盤の薄肉化を図ることができる。なお、中心に設けられた開口部内に配置される転動体の軸を軸支する軸受は、固定ガイドレール側に突設され、両側に設けられた開口部内に配置される転動体の軸を軸支する軸受は、可動ガイドレール側に突設される。
【００１７】
また、前記本発明に係るパネル体の開閉具において、前記ハーフガイドレールには、幅方向にスライドする方向となったスライダの基盤の側面に当接するプッシャが突出して設けられていることが好ましい。
【００１８】
このパネル体の開閉具によれば、左側のハーフガイドレールが手前側に引っ張られることによって方向転換されたスライダの基盤の側面に、左側のハーフガイドレールに設けられたプッシャが当接し、左側のハーフガイドレールが右方向に移動することにより、スライダが前記プッシャに押されて右方向に移動する。逆に右側のハーフガイドレールが左方向に移動すると、スライダは右側のハーフガイドレールのプッシャに押されて左方向に移動する。
【００１９】
また、前記本発明に係るパネル体の開閉具において、前記固定ガイドレールには、裏面側へ突出した拡幅部が両端部に設けられ、該拡幅部に前記直線状の溝から分岐して裏面側に分岐溝が設けられ、前記ハーフガイドレールの外側端部には、前記固定ガイドレールの直線状の溝内および分岐溝内を転動する滑動体が備えられていることが好ましい。
【００２０】
このパネル体の開閉具によれば、ハーフガイドレールの外側端部に備えられた滑動体も固定ガイドレールの直線状の溝内を転動することにより、ハーフガイドレールは安定した向きとなってスムーズに移動する。また、固定ガイドレールの両端部に設けられた拡幅部に分岐溝が設けられることにより、ハーフガイドレールの外側端部に備えられた滑動体が分岐溝内に案内され、２本のハーフガイドレールが同一面のフラットな直列状態となるようにすることができる。
【００２１】
また、前記本発明に係るパネル体の開閉具において、前記固定ガイドレールには、少なくとも前記直線状の溝に沿って誘導溝が設けられ、前記可動ガイドレールには、前記固定ガイドレールの誘導溝内に係入する突起が設けられていることが好ましい。
【００２２】
このパネル体の開閉具によれば、可動ガイドレールの外側端部に設けられた突起が固定ガイドレールに形成された誘導溝内に係入することにより、一方の可動ガイドレールは他方の可動ガイドレールに沿うように安定した向きで移動する。なお、前記のように固定ガイドレールに分岐溝が設けられている場合は、この分岐溝にも沿って誘導溝が設けられる。
【００２３】
また、前記本発明に係るパネル体の開閉具において、前記ハーフガイドレールの裏面にスペーサが備えられていることが好ましい。
【００２４】
このパネル体の開閉具によれば、ハーフガイドレールが引っ張られて移動している間、この移動しているハーフガイドレールに備えられたスペーサが、移動していないハーフガイドレールの側面上を回転することにより、２本のハーフガイドレール同士が擦れることなく、ハーフガイドレールをスムーズに移動させることができる。
【００２５】
また、前記本発明に係るパネル体の開閉具において、前記固定ガイドレールおよび可動ガイドレールの各対向面側の周縁に周壁部が突設されていることが好ましい。
【００２６】
このパネル体の開閉具によれば、固定ガイドレールおよび可動ガイドレールの各対向面側の周縁に突設された周壁部によって、固定ガイドレールと可動ガイドレールとの間に隙間が小さくなり、デザイン性を向上させることができるだけでなく、スライダが遮蔽され、スライダに塵芥などが付着しにくいようにすることができる。
【００２７】
本発明にかかる引違い戸は、幅方向にスライドする一対のパネル体と、該パネル体の上下に間隔を空けて配置される枠体と、該パネル体と枠体との間に配置される前記のいずれかのパネル体の開閉具とが備えられ、前記のいずれかの可動ガイドレールの各ハーフガイドレールがパネル体の上下各端面に固定され、前記のいずれかの固定ガイドレールがパネル体に対向している枠体の各面に固定されていることを特徴としている。
【００２８】
この引違い戸によれば、各可動ガイドレールが各パネル体の各端面に固定され、固定ガイドレールが枠体の各面に固定されることにより、各パネル体は、上下の枠体の間をスムーズにスライドすることができる。また、各パネル体は、フラットな状態に閉扉することができるため、閉扉された引違い戸の外観を良好にすることができる。
【発明の効果】
【００２９】
本発明によれば、パネル体の開閉具が固定ガイドレールと可動ガイドレールとの間で移動するスライダを備えたものとされ、可動ガイドレールが２本のハーフガイドレールを組み合わせたものとされ、スライダによって各ハーフガイドレールが直列状態と並列状態とに可動可能とされていることにより、このパネル体の開閉具を備えた引違い戸などの外観を向上させつつ、使い勝手を良好にすることができる。
【発明を実施するための最良の形態】
【００３０】
本発明に係るパネル体の開閉具およびこのパネル体の開閉具を備えた引違い戸の一実施形態について図１から図１３を参照しながら説明する。この引違い戸は、図１および図２に示すように、幅方向（図面において左右方向）に移動する一対（以下、必要により「左側」「右側」という。）のパネル体１０１，１０２と、このパネル体１０１，１０２の上下側に間隔を空けて水平姿勢で配置される一対の枠体（以下、「上枠体」「下枠体」という。）１１１，１１２とを備えている。なお、引違い戸においては、パネル体１０１，１０２は、扉である。
【００３１】
パネル体１０１，１０２は、同一面のフラットな直列状態と重なり合った並列状態とにスライドする。したがって、上下枠体１１１，１１２は、フラットな直列状態となった一対のパネル体１０１，１０２の幅とほぼ同じ長さ、重なり合った並列状態となった一対のパネル体１０１，１０２の厚さ以上の奥行きを有している。
【００３２】
そして、上下枠体１１１，１１２の両端部には、一対の枠体（以下、「左枠体」「右枠体」という。）１１３，１１４が鉛直姿勢で固定されている。したがって、一対のパネル体１０１，１０２が閉扉された状態において、左側のパネル体１０１と右側のパネル体１０２の各外側端縁は、左枠体１１３と右枠体１１４とに当接する。
【００３３】
そして、前記パネル体１０１，１０２と上下枠体１１１，１１２との間には、図３に示すように、パネル体の開閉具が配備される。パネル体の開閉具は、上下枠体１１１，１１２に固定される固定ガイドレール１０と、各パネル体１０１，１０２の上下の各端面に固定される可動ガイドレール２０と、固定ガイドレール１０と可動ガイドレール２０との間で移動するスライダ３０とを備えている。
【００３４】
固定ガイドレール１０は、長さが上下枠体１１１，１１２と同じ、厚さ（表面と裏面との間隔である奥行き）がパネル体１０１，１０２の厚さの（表面と裏面との間隔である奥行き）２倍以上とされ、図４に示すように、パネル体１０１，１０２と対向する面に溝１１が設けられている。この溝１１は、図５および図６に示すように、固定ガイドレール１０の長さ方向の中心で裏面側（図面において下側）から表面側（図面において上側）に設けられた一対の円弧状の溝１１ａ，１１ａと、この円弧状の溝１１ａの表面側の端部から固定ガイドレール１０の各端部まで表面側に沿って設けられた直線状の溝１１ｂとを連続して形成したもので、断面が円弧状に形成されている。
【００３５】
また、固定ガイドレール１０の両端部には、図６に示すように、裏面側へ突出した拡幅部１２が設けられている。そして、この各拡幅部１２には、分岐溝１１ｃが設けられている。分岐溝１１ｃは、前記直線状の溝から分岐し、カーブしてから裏面側に沿うように形成されている。
【００３６】
さらに、固定ガイドレール１０には、前記円弧状の溝１１ａの部分を除いて全長に亘って誘導溝１３が形成されている。すなわち、誘導溝１３は、前記分岐溝１１ｃおよび直線状の溝１１ｂの裏面側に沿ったラインに形成されている。
【００３７】
そして、可動ガイドレール２０は、左側、右側のパネル体１０１，１０２の上下の端面に固定されるハーフガイドレール２１，２２を上下２本ずつ組み合わせたものとされる。したがって、各ハーフガイドレール２１，２２は、パネル体１０１，１０２と同じ幅とされ、固定ガイドレール１０の幅（左枠体１１３と右枠体１１４との間隔であり、正面から見た場合の長さ）のほぼ半分の幅とされている。すなわち、固定ガイドレール１０の幅は、直列状態とされたときの２本のハーフガイドレール２１，２２のほぼ２倍以上とされている。そして、各ハーフガイドレール２１，２２が固定ガイドレール１０と対向する面には、直線状の溝２３，２３が全長に亘って設けられている。この溝２３も断面が円弧状に形成されている。
【００３８】
また、ハーフガイドレール２１，２２の各外側の端部には、図８に示すように、裏面側（図面において上側）へ突出した突出部２４が設けられている。この突出部２４には、前記固定ガイドレール１０の分岐溝１１ｃおよび直線状の溝１１ｂ内を転動する転動体２５が備えられ、さらに、前記誘導溝１３内に係入する突起２６が突設されている。
【００３９】
そして、各ハーフガイドレール２１，２２の裏面側には、図７に示すように、スペーサ２７，２７が備えられている。このスペーサ２７は、一方のパネル体１０１，１０２が移動したときに、他方のパネル体１０２，１０１上を擦らないようにするためのもので、例えば、回転軸を鉛直方向に向けたローラによって構成される。ただし、スペーサ２７は、先端部のみ突出するようにしたボールなどによって構成してもよい。いずれにしても、各ハーフガイドレール２１，２２の厚さ（表面と裏面との間隔である奥行き）にスペーサ２７の突出分を加算した厚さが固定ガイドレール１０の厚さとほぼ同じとされている。
【００４０】
そして、固定ガイドレール１０が可動ガイドレール２０に対向する対向面の周縁部には、可動ガイドレール２０の方に周壁部１４が突設されている。また、ハーフガイドレール２１，２２が固定ガイドレール１０に対向する対向面の周縁部にも、固定ガイドレール１０の方に周壁部２８が突設されている。この両方の周壁部１４，２８によって、両ガイドレール１０，２０間の隙間を小さくし、外観を良好にするとともに、固定ガイドレール１０と可動ガイドレール２０との間のスライダ３０が遮蔽された状態とされ、スライダ３０に塵芥などが付着しにくいようにされている。
【００４１】
また、ハーフガイドレール２１，２２の周壁部２８の裏面側で内側寄りの位置には、スライダ３０の側面に当接するプッシャ２９が突出して設けられている。
【００４２】
そして、スライダ３０は、図９および図１０に示すように、基盤３１と３個の転動体３２ａ，３２ｂ，３２ｃとを備えている。基盤３１には、転動体３２ａ，３２ｂ，３２ｃを配置するための貫通した開口部３１ａ，３１ｂ，３１ｃが中心と両側とに設けられている。中心の開口部３１ａに配置された転動体３２ａは、固定ガイドレール１０側にのみ突出し、固定ガイドレール１０の溝内を転動するようにされている。また、両側の開口部３１ｂ，３１ｃに配置された転動体３２ｂ，３２ｃは、ハーフガイドレール２１，２２側にのみ突出し、ハーフガイドレール２１，２２の溝２３，２３内を転動するようにされている。
【００４３】
このため、基盤３１の各面には軸受３３，３３，…が一対ずつ設けられ、転動体３２ａ，３２ｂ，３２ｃには、この軸受３３，３３に軸支される軸３４，３４が突設されている。このように基盤３１に開口部３１ａ，３１ｂ，３１ｃが設けられ、軸受３３，３３，…が突設されることにより、基盤３１の薄肉化を図ることができる。そして、いずれの溝１１，２３も断面が円弧状に形成され、また、円弧状の溝１１ａ内をスムーズに転動することができるようにするため、転動体３２ａ，３２ｂ，３２ｃの外周は曲面に形成されている。
【００４４】
そして、中心の転動体３２ａと各片側の転動体３２ｂ，３２ｃとの間隔は、固定ガイドレール１０の円弧状の溝１１ａの裏面側端とハーフガイドレール２１，２２の溝２３，２３の内側端との間隔と同じとされている。また、両側の転動体３２ｂ，３２ｃの間隔は、各ハーフガイドレール２１，２２の溝２３，２３の各内側端の間隔と同じとされている。
【００４５】
本実施形態における引違い戸は、以上のように構成され、次に、使用方法について説明する。
【００４６】
閉扉された左右のパネル体１０１，１０２は、図１に示すように、同一面にフラットな直列状態とされている。このとき、スライダ３０の中心の転動体３２ａが固定ガイドレール１０に設けられた円弧状の溝１１ａの裏面側端に位置し、スライダ３０の両側の転動体３２ｂ，３２ｃが図１１に示すように、各ハーフガイドレール２１，２２に設けられた溝２３，２３の内側端に位置している。また、各ハーフガイドレール２１，２２の外側端の転動体２５，２５が各ハーフガイドレール２１，２２に設けられた分岐溝１１ｃ，１１ｃの端部に位置し、各パネル体１０１，１０２の外側端の突起２６，２６が誘導溝１３，１３の外側端に位置している。
【００４７】
そして、左側のパネル体１０１を開扉するには、左側のパネル体１０１の内側端（右端）を手前側（裏面側から表面側）に引っ張り、図１２に示すように、左側のパネル体１０１の内側端と右側のパネル体１０２の内側端（左端）とが重なり合うようにする。すると、スライダ３０が上から見て（以下同じ。）反時計方向に４分の１回転する。
【００４８】
このとき、右側のハーフガイドレール２２の溝２３の左端内に位置している右側の転動体３２ｃを回転軸として、基盤３１が反時計方向に４分の１回転する。そして、中心の転動体３２ａが固定ガイドレール１０に設けられた円弧状の溝１１ａ内を反時計方向に４分の１回転し、左側の転動体３２ｂが手前側に引っ張られた左側のハーフガイドレール２１に設けられた溝２３の移動に追従して４分の１回転する。このスライダ３０は、３個の転動体３２ａ，３２ｂ，３２ｃが両ハーフガイドレール２１，２２の厚さ方向に並んだ状態となっている。
【００４９】
また、左側のハーフガイドレール２１のプッシャ２９がスライダ３０の基盤３１に当接した状態となっている。したがって、左側のパネル体１０１を右側に引っ張ると、図１３に示すように、このプッシャ２９がスライダ３０を押す状態となり、スライダ３０が右方向に移動する。
【００５０】
このとき、スライダ３０の右側の転動体３２ｃが右側のハーフガイドレール２２の溝２３内を転動し、スライダ３０の中心の転動体３２ａが固定ガイドレール１０の溝１１ｂ内を転動し、さらに、左側のハーフガイドレール２１の裏面に備えられたスペーサ２７が右側のハーフガイドレール２２上を転動することにより、左側のパネル体１０１およびハーフガイドレール２１は右側のパネル体１０２およびハーフガイドレール２２上を擦れることなくスムーズに右方向に移動する。
【００５１】
また、左側のハーフガイドレール２１の突起２６が固定ガイドレール１０の誘導溝１３に案内されて移動し、左側のハーフガイドレール２１の突出部２４に備えられた転動体２５が固定ガイドレール１０の分岐溝１１ｃから直線状の溝１１ｂ内を転動することにより、左側のパネル体１０１が安定した向きでスムーズに移動する。
【００５２】
そして、完全に開扉されると、左側のパネル体１０１およびハーフガイドレール２１の各裏面と右側のパネル体１０２およびハーフガイドレール２２の各表面とが重なり合う並列状態となる。このとき、スライダ３０の右側と中心の転動体３２ｂ，３２ａは、それぞれ右側のハーフガイドレール２２の溝２３の右端と固定ガイドレール１０の直線状の溝１１ｂの右端とに位置している。
【００５３】
そして、閉扉するには、右方向に移動した左側のパネル体１０１を左の方へ引っ張る。このとき、スライダ３０は、左側のハーフガイドレール２１の端部の周壁部に押圧されて左の方へ移動する。したがって、スライダ３０の右側の転動体３２ｂが右側のハーフガイドレール２２の溝２３内を転動し、さらに、スライダ３０の中心の転動体３２ａと左側のハーフガイドレール２１の突出部２４に備えられた転動体２５が固定ガイドレールの直線状の溝１１ｂ内を転動することにより、左側のパネル体１０１およびハーフガイドレール２１はスムーズに左方向に移動する。
【００５４】
このとき、左側のハーフガイドレール２１の突起２６が固定ガイドレール１０に設けられた誘導溝１３に案内されて移動する。また、左側のハーフガイドレール２１のスペーサ２７が右側のハーフガイドレール２２上を転動することにより、左側のパネル体１０１およびハーフガイドレールは、右側のパネル体１０２およびハーフガイドレール上を擦れることなくスムーズに左方向に移動する。
【００５５】
そして、左側のパネル体１０１の内側端と右側のパネル体１０２の内側端とが重なり合うと、左側のパネル体１０１を裏面側へ押しつつ左方向へ引っ張る。すると、スライダ３０が時計方向に４分の１回転する。このとき、スライダ３０の右側の転動体３２ｃが回転軸となり、中心の転動体が固定ガイドレール１０に設けられた円弧状の溝１１ａ内を時計方向に４分の１回転する。
【００５６】
また、左側のパネル体１０１の左側の突起２６が固定ガイドレール１０のカーブした誘導溝１３内から左側端部に移動し、滑動体が分岐溝１１ｃ内に移動する。したがって、２枚のパネル体１０１，１０２は、同一面のフラットな直列状態となる。
【００５７】
そして、右側のパネル体１０２を開扉すると、スライダ３０は、前記と逆方向、すなわち時計方向に４分の１回転する。開扉された右側のパネル体１０２を閉扉すると、スライダ３０は、前記と逆方向に反時計方向に４分の１回転する。基本的な動作は、前記の動作と同じであるため、説明は省略する。
【００５８】
なお、本発明は、前記の実施形態に限定することなく特許請求の範囲に記載した技術的事項の範囲内において種々変更することができる。例えば、本発明の引違い戸は、狭義のドアに限らず、食器棚や書庫などに使用することができる。
【００５９】
また、スライダ３０は、薄肉化を図る必要がない場合において、開口部３１ａ，３１ｂ，３１ｃを設けることなく、厚肉の基盤３１に転動体３２ａ，３２ｂ，３２ｃをほとんど収納する凹部を設け、転動体３２ａ，３２ｂ，３２ｃの一部分のみ突出するようにしてもよいし、逆に前記の実施形態で説明した基盤３１に開口部３１ａ，３１ｂ，３１ｃを設けないで配置される転動体３２ａ，３２ｂ，３２ｃを挟む軸受３３，３３，…を突設してもよい。さらに、使用状況に応じて、誘導溝１３や周壁部１４，２８を設けないようにしてもよい。
【産業上の利用可能性】
【００６０】
本発明に係るパネル体の開閉具は、ドアや家具の扉などの引違い戸、あるいはスライドして開閉する蓋を備えた容器などに有効に使用することができる。また、本発明に係る引違い戸は、玄関ドアや室内ドア、電車や自動車のドア、門、あるいはクローゼットや食器棚、書庫などの家具などに有効に使用することができる。
【図面の簡単な説明】
【００６１】
【図１】本発明に係るパネル体の開閉具を備えた引違い戸の一実施形態を示す概略斜視図である。
【図２】本発明に係るパネル体の開閉具を備えた引違い戸の一実施形態を示す分解斜視図である。
【図３】本発明に係るパネル体の開閉具のを備えた引違い戸の一実施形態であって要部を示す分解斜視図である。
【図４】本発明に係るパネル体の開閉具を構成している固定ガイドレールの一実施形態であって右下から見た状態を示す斜視図である。
【図５】本発明に係るパネル体の開閉具を構成している固定ガイドレールの一実施形態であって中心部分を右下から見た状態を示す斜視図である。
【図６】本発明に係るパネル体を構成している固定ガイドレールの一実施形態であって端部を右下から見た状態を示す斜視図である。
【図７】本発明に係るパネル体の開閉具を構成している可動ガイドレール一実施形態であって中心部分を裏側の上から見た状態を示す一部断面斜視図である。
【図８】本発明に係るパネル体の開閉具を構成している可動ガイドレールの一実施形態であって左側の端部を左上から見た状態を示す分解斜視図である。
【図９】本発明に係るパネル体の開閉具を構成しているスライダの一実施形態であって左上から見た状態を示す斜視図である。
【図１０】本発明に係るパネル体の開閉具を構成しているスライダ一実施形態であって左下から見た状態を示す斜視図である。
【図１１】本発明に係るパネル体の開閉具の一実施形態であって左上から見た部分を示す斜視図である。
【図１２】本発明に係るパネル体の開閉具の一実施形態であって左上から見た部分を示す斜視図である。
【図１３】本発明に係るパネル体の開閉具の一実施形態であって左上から見た部分を示す斜視図である。
【符号の説明】
【００６２】
１０……固定ガイドレール
１１……溝
１１ａ…円弧状の溝
１１ｂ…直線状の溝
１１ｃ…分岐溝
１２……拡幅部
１３……誘導溝
１４……周壁部
２０……可動ガイドレール
２１，２２…ハーフガイドレール
２３……溝
２４……突出部
２５……転動体
２６……突起
２７……スペーサ
２８……周壁部
２９……プッシャ
３０……スライダ
３１……基盤
３１ａ，３１ｂ，３１ｃ……開口部
３２ａ，３２ｂ，３２ｃ……転動体
３３……軸受
３４……軸
１０１，１０２……パネル体
１１１，１１２……枠体
【図１】
2009138491.tif 000003
【図２】
2009138491.tif 000004
【図３】
2009138491.tif 000005
【図４】
2009138491.tif 000006
【図５】
2009138491.tif 000007
【図６】
2009138491.tif 000008
【図７】
2009138491.tif 000009
【図８】
2009138491.tif 000010
【図９】
2009138491.tif 000011
【図１０】
2009138491.tif 000012
【図１１】
2009138491.tif 000013
【図１２】
2009138491.tif 000014
【図１３】
2009138491.tif 000015